(57)【特許請求の範囲】
【請求項１】
遊水室を内蔵すると共に、遊水室に連通する多数の開口部を前壁部に有する構造物本体から該構造物本体上に装着されている頂版を取り外し、次に、構造物本体の縁切り面に突出している継手部を撤去し、そして、予め製作しておいた嵩上げユニットを構造物本体の縁切り面に継ぎ足し、しかる後に、嵩上げされた嵩上げユニット上に頂版を戻して嵩上げユニット側の継手部と頂版側の継手部とを締結具によって相互に結合することを特徴とする消波式構造物の嵩上げ方法。
【請求項２】
頂版上を覆っている舗装材の一部を剥がして継手部が埋まっている継手収容部の蓋を露出させ、しかる後に、蓋及び継手収容部内に充填されている砂を撤去する請求項１記載の消波式構造物の嵩上げ方法。
【請求項３】
嵩上げユニットの補強材と、構造物本体内に立設されている補強材とを溶接やボルトなどの締結手段によって接合させる請求項１記載の消波式構造物の嵩上げ方法。
【請求項４】
嵩上げユニットと構造物本体の接合部にモルタルなどの凝固材を注入する請求項１記載の消波式構造物の嵩上げ方法。
【発明の詳細な説明】
【０００１】
【発明の属する技術分野】
本発明は、岸壁、護岸、防波堤などの構造物の前壁部に、構造物内部の遊水室と連通する多数の開口部を備えている消波式構造物を嵩上げする消波式構造物の嵩上げ方法に関するものである。
【０００２】
【従来の技術】
従来、鉄筋コンクリート製の重力式岸壁が沈下した場合には、岸壁上にコンクリートを打設して岸壁を計画天端の高さまで嵩上げし、しかる後に、嵩上げ部分の後ろ側に裏埋め土砂を補充するなどの嵩上げ工法が採用されていた。
【０００３】
【発明が解決しようとする課題】
しかし、岸壁の前壁部に、岸壁内部の遊水室と連通する多数の開口部を備えている消波式岸壁の場合は、消波機能を維持する必要があるために、開口部の高さや遊水室の高さも計画高さに嵩上げしなければならない。
【０００４】
ところで、本発明者らは、先に、サヤ管ジョイント方式の嵩上げ方法を出願した。この嵩上げ方法は、図１２に示すように、パネル状の頂版６を縁切り面８から切り離して取り外した後、頂版６の下面に設けられている前後２本の雄形ガイド材９に嵩上げ部１５を取り付け、しかる後に、嵩上げ部１５を装着した頂版６ａを岸壁本体７に戻して消波式岸壁１の嵩上げを行う方法である。その際、頂版６ａの雄形ガイド材９ａは、スリット柱１０に埋設されている鋼管１１に挿入され、頂版６ａの雄形ガイド材９ｂは、後壁面１２を支えている角形鋼管製の鉛直梁１３に挿入される。
【０００５】
このサヤ管ジョイント方式は、嵩上げ時の施工が容易で、かつ、工期および  工費を低く抑えられるという点で優れているが、頂版６が岸壁本体７に結合されていないため、上向きの荷重に抵抗するのは、頂版６の自重のみであり、遊水室１７内に作用する揚圧力が大きいと、抵抗することが困難になる。図中、１６はスリット状の開口部を示している。
【０００６】
揚圧力については、当初波高を０．５ｍ程度に想定していたが、岸壁が完成するまでに来襲する波高さＨ1/3 は、１．８ｍ（１０年確率）であり、また、完成後でも、来襲する波高さＨ1/3 は、１．６（５０年確率）であるため、当初想定していた値より遙に大きく、頂版６を岸壁本体７と結合する必要がある。
【０００７】
本発明は、かかる観点からなされたものであり、その目的とするところは、波浪やけん引力などの外力に対して、より強固な嵩上げ方法を提供することにある。
【０００８】
【課題を解決するための手段】
上記の課題を解決するため、本発明は、次のように構成されている。
【０００９】
すなわち、
（１）  遊水室を内蔵すると共に、遊水室に連通する多数の開口部を前壁部に有する構造物本体から該構造物本体上に装着されている頂版を取り外し、次に、構造物本体の縁切り面に突出している継手部を撤去し、そして、予め製作しておいた嵩上げユニットを構造物本体の縁切り面に継ぎ足し、しかる後に、嵩上げされた嵩上げユニット上に頂版を戻して嵩上げユニット側の継手部と頂版側の継手部とを締結具によって相互に結合することを特徴とする消波式構造物の嵩上げ方法。
【００１０】
（２）  頂版上を覆っている舗装材の一部を剥がして継手部が埋まっている継手収容部の蓋を露出させ、しかる後に、蓋及び継手収容部内に充填されている砂を撤去する（１）記載の消波式構造物の嵩上げ方法。
【００１１】
（３）  嵩上げユニットの補強材と、構造物本体内に立設されている補強材とを溶接やボルトなどの締結手段によって接合させる（１）記載の消波式構造物の嵩上げ方法。
【００１２】
（４）  嵩上げユニットと構造物本体の接合部にモルタルなどの凝固材を注入する（１）記載の消波式構造物の嵩上げ方法。
【００１３】
【発明の実施の形態】
以下、本発明の実施の形態を図面を用いて説明する。
【００１４】
図１は、本発明の方法に従って消波式岸壁の嵩上げ工事を行っている様子を示す斜視図であるが、予め、図１を用いて消波式岸壁の構造について説明する。
【００１５】
消波式岸壁１は、図示しない海岸線に沿って構築された重力式の細長い岸壁本体７の前壁部１８に、岸壁本体内部の遊水室１７と連通する多数の開口部（縦長のスリット状の通水部）１６を備え、この開口部１６と、隣接する２つの開口部１６，１６間にある細長い壁面部（以下、スリット柱と称する）１０とによって波を分散させることで消波する構造になっている。
【００１６】
遊水室１７は、隔壁１９によって所定の大きさに仕切られており、各遊水室１７に対応する前壁部１８には、同数（図の場合は、３個）の開口部１６が設けられている。そして、岸壁本体７の上部には、所定の寸法及び形状に形成されたパネル状の頂版６が装着されている。
【００１７】
図２に示すように、頂版６と岸壁本体７とは、頂版６側のヒンジ２０と、岸壁本体７側のヒンジ２１とを互いに噛み合わせ、一致した両方のピン孔にピン２２を差し込むことで連結されている。頂版６側のヒンジ２０は、頂版６に埋設されているＨ形鋼２４ａの両端に取り付けられ、岸壁本体７側のヒンジ２１は、後壁部１２に立設されているＨ形鋼２４ｂの上端と、スリット柱１０に立設されているＨ形鋼２４ｃの上端とに、それぞれ、取り付けられている。
【００１８】
頂版６は、図２及び図３に示すように、双方のヒンジ２０，２１を連結させる部分に継手収容部２５を有している。継手収容部２５は、その中に砂２６を充填した後、蓋２７で塞ぎ、最終的には、頂版６の上がアスファルトなどの舗装材２８により舗装されている。符号２９は、Ｈ形鋼２４ｂ，２４ｃの根元に設けた嵌合部であり、モルタルによって形成されている。
【００１９】
次に、この消波式岸壁の嵩上げ工事を工程順に説明する。
【００２０】
先ず、図４に示すように、頂版６の上面を覆っている舗装材２８の一部を剥がし（ハツり）、頂版６に装着されている蓋２７を露出させる。そして、図５に示すように、頂版６の継手収容部２５に装着されている蓋２７と、継手収容部２５内に充填されている砂２６とを撤去する。
【００２１】
次に、頂版６側のヒンジ２０と岸壁本体７側のヒンジ２１とを結合しているピン２２を引き抜いて頂版６と岸壁本体７との結合を解除してから、図示しないクレーンを用いて、図６に示すように、頂版６を岸壁本体７から取り外す。
【００２２】
それから、図７に示すように、岸壁本体７の後壁部１２及びスリット柱１０の縁切り面８より上方に突出しているヒンジ２１を切断して撤去する。
【００２３】
次に、図８に示すように、予め製作しておいた嵩上げユニット３０ａを、後壁部１２のＨ形鋼２４ｂ及びスリット柱１０のＨ形鋼２４ｃ上に建て込み、嵩上げユニット３０ａのＨ形鋼３１ｂと後壁部１２のＨ形鋼２４ｂとを溶接又はボルトなどの締結手段により接合（結合）させ、更に、嵩上げユニット３０ａのＨ形鋼３１ｃとスリット柱１０のＨ形鋼２４ｃとを溶接又はボルトなどの締結手段により接合（結合）させる。これと同様の方法でスリット柱１０のＨ形鋼２４ｃ上に嵩上げユニット３０ｃを建て、後壁部１２のＨ形鋼２４ｂ上に嵩上げユニット３０ｂを建てる。
【００２４】
図１に示すように、隔壁１９上に建て込む嵩上げユニット３０ａは、平面視Ｉ字形に形成され、スリット柱１０上に建て込む嵩上げユニット３０ｃは、スリット柱１０と同じ断面形状に形成され、後壁部１２上に建て込む嵩上げユニット３０ｂは、隣接する嵩上げユニット３０ａの隙間を埋めるに足る長さを有している。
【００２５】
次に、図９に示すように、嵩上げユニット３０ａと隔壁１９の接合部に型枠３２を建て、その中にノズル３４からモルタル３３を注入する。スリット柱１０上に建てた嵩上げユニット３０ｃ及び後壁部１２上に建てた嵩上げユニット３０ｂの接合部についても同様にモルタル３３を注入する。
【００２６】
モルタル３３の凝固後、図１０に示すように、嵩上げユニット３０上に頂版６を戻し、頂版６側のヒンジ２０と、嵩上げユニット３０側のヒンジ２９とをピン２２によって連結させる。そして、図１１に示すように、頂版６の継手収容部２５内に砂２６を詰めて蓋２７をし、最後に、除去した（ハツった）舗装箇所を舗装材２８で再舗装する。
【００２７】
以上の説明では、消波式岸壁を嵩上げする場合について説明したが、この発明は、護岸や防波堤などの消波式構造物の嵩上げに適用することができる。また、頂版側のヒンジと、岸壁本体側のヒンジとは、ピンの代わりにボルトなどの締結手段によって結合させてもよい。
【００２８】
【発明の効果】
上記のように、本発明は、遊水室を内蔵すると共に、遊水室に連通する多数の開口部を前壁部に有する構造物本体から該構造物本体上に装着されている頂版を取り外し、次に、構造物本体の縁切り面に突出している継手部を撤去し、そして、予め製作しておいた嵩上げユニットを構造物本体の縁切り面に継ぎ足し、しかる後に、嵩上げされた嵩上げユニット上に頂版を戻して嵩上げユニット側の継手部と頂版側の継手部とを締結具によって相互に結合させたので、消波機能を維持しながら、構造物の嵩上げを容易に行うことが可能になった。
【００２９】
また、本発明によれば、構造物本体と嵩上げユニットとが溶接又はボルトなどの締結手段によって接合（結合）され、更に、嵩上げユニットと頂版とがピンやボルトなどの締結手段によって結合されているので、波浪やけん引力などの外力に対して強固なものとなった。
【図面の簡単な説明】
【図１】本発明の方法に従って消波式岸壁の嵩上げ工事を行っている様子を示す斜視図である。
【図２】消波式岸壁の横断面図である。
【図３】図２のＡ−Ａ′矢視図である。
【図４】舗装材の一部を剥離した図である。
【図５】継手収容部から蓋及び砂を撤去した図である。
【図６】構造部から頂部を取り外した図である。
【図７】構造部本体のヒンジを撤去した図である。
【図８】構造部本体上に嵩上げユニットを建て込んだ図である。
【図９】構造部本体と嵩上げユニットの接合部にモルタルを注入する図である。
【図１０】構造部本体側のヒンジと嵩上げユニット側のヒンジとを結合させた図である。
【図１１】継手収容部に修復した図である。
【図１２】従来の嵩上げ方法の説明図である。
【符号の説明】
６  頂版
７  構造物本体
８  構造物本体の縁切り面
１６  開口部
１７  遊水室
１８  前壁部
２０  頂版側の継手部
２１  縁切り面に突出している継手部
２２  締結具
２９  嵩上げユニット側の継手部
３０  嵩上げユニット
【図１】
0003827989.tif 000002
【図２】
0003827989.tif 000003
【図３】
0003827989.tif 000004
【図４】
0003827989.tif 000005
【図５】
0003827989.tif 000006
【図６】
0003827989.tif 000007
【図７】
0003827989.tif 000008
【図８】
0003827989.tif 000009
【図９】
0003827989.tif 000010
【図１０】
0003827989.tif 000011
【図１１】
0003827989.tif 000012
【図１２】
0003827989.tif 000013